(57)【要約】【課題】車椅子の人や身体障害者や大量のコピー作業をするため椅子に腰掛けたまま作業する人などが後処理装置を使用する場合に、後処理装置の上部に設置された表紙給紙部の給紙皿上に表紙又は用紙を簡単に載置可能にする。【解決手段】表紙給紙部５０の給紙皿５１上に載置される最大サイズの表紙Ｋの幅Ｗ１より広い幅間隔Ｗ２を有する固定案内部５１Ｂ、用紙載置台３５上に積載される用紙Ｓの幅方向を位置決めする幅整合板３６、幅整合板３６を移動可能に駆動する駆動手段、駆動手段を制御する制御手段９０、とを有し、表紙Ｋを用紙載置台３５上に導入する時に、制御手段９０は、幅整合板３６を固定案内部５１Ｂの幅間隔Ｗ２より広く設定された間隔Ｗ３の待機位置に移動させるように制御する。【選択図】　　　　図５
2004010257.tif 000002
【特許請求の範囲】
【請求項１】
用紙後処理装置の上部に配置された表紙給紙部に収容された表紙用紙を用紙載置台上に搬送するとともに、画像形成装置から排出される記録用紙を前記用紙載置台上に積載して整合し、後処理する用紙後処理装置において、
前記表紙給紙部の給紙皿上に載置される最大サイズの表紙用紙の幅より広い幅間隔を有する固定案内部、
前記用紙載置台上に積載される用紙の幅方向を位置決めする幅整合板、
前記幅整合板を移動可能に駆動する駆動手段、
前記駆動手段を制御する制御手段、とを有し、
前記表紙用紙を前記用紙載置台上に導入する時に、前記制御手段は、前記幅整合板を前記固定案内部の幅間隔より広く設定された間隔の待機位置に移動させるように制御することを特徴とする用紙後処理装置。
【発明の詳細な説明】
【０００１】
【発明の属する技術分野】
本発明は、電子写真複写機、プリンタ、ファクシミリ、及びこれらの機能を有する複合機等の画像形成装置から画像形成後に排出される記録用紙を順次、用紙後処理装置内に取り込み、この記録用紙に綴じ処理等の後処理を行うとともに、表紙給紙部に収容された表紙用紙を用紙載置台上に搬送する用紙後処理装置に関するものである。
【０００２】
【従来の技術】
画像形成装置より排紙される画像記録済の複数枚の用紙を、コピー部数ごとに丁合して綴じ手段により綴じ合わせる用紙後処理装置が従来から知られている。
【０００３】
この用紙後処理装置は、複写機やプリンタ等の画像形成装置本体と機能が接続されていて、コピーまたはプリントプロセスのシーケンス作動に対応して駆動する。
【０００４】
表紙給紙部を備えた従来の用紙後処理装置において、表紙給紙部の給紙台上に載置される各種サイズの表紙用紙の幅方向を規制する可動の幅整合板が配置されている。各種サイズの表紙用紙を給紙台上にセットする際には、両側の整合板、又は一方の整合板を用紙幅より広い位置に予め拡げた後、表紙用紙を給紙台上の整合板間にセットし、整合板を手動させて表紙用紙の幅方向の側端部に当接させ、位置決めしていた。
【０００５】
【発明が解決しようとする課題】
表紙給紙部は、通常の身長の人が立っている状態で表紙用紙の挿入、幅整合の操作をするように、用紙後処理装置の上部に配置されている。
【０００６】
用紙後処理装置を、車椅子の人や身体障害者や大量のコピー作業をするため椅子に腰掛けたまま作業する人などが使用する場合に、用紙後処理装置の上部に配置された表紙給紙部において、幅整合の操作を行う事は困難であった。
【０００７】
【課題を解決するための手段】
上記の課題は下記の用紙後処理装置により解決される。
【０００８】
用紙後処理装置の上部に配置された表紙給紙部に収容された表紙用紙を用紙載置台上に搬送するとともに、画像形成装置から排出される記録用紙を前記用紙載置台上に積載して整合し、後処理する用紙後処理装置において、前記表紙給紙部の給紙皿上に載置される最大サイズの表紙用紙の幅より広い幅間隔を有する固定案内部、前記用紙載置台上に積載される用紙の幅方向を位置決めする幅整合板、前記幅整合板を移動可能に駆動する駆動手段、前記駆動手段を制御する制御手段、とを有し、前記表紙用紙を前記用紙載置台上に導入する時に、前記制御手段は、前記幅整合板を前記固定案内部の幅間隔より広く設定された間隔の待機位置に移動させるように制御することを特徴とする用紙後処理装置。
【０００９】
【発明の実施の形態】
次に、本発明の用紙後処理装置の実施の形態を図面に基づいて説明する。
【００１０】
［画像形成装置］
図１は画像形成装置Ａ、画像読み取り装置Ｂ、用紙後処理装置（以下、後処理装置と称す）Ｃから成る画像形成システムの全体構成図である。図２は画像形成システムの外観斜視図である。
【００１１】
画像形成装置Ａは、回転する像担持体１の周囲に、帯電手段２、像露光手段（書き込み手段）３、現像手段４、転写手段５Ａ、除電手段５Ｂ、及びクリーニング手段６を配置した画像形成手段を有する。画像形成手段は、帯電手段２によって像担持体１の表面に一様帯電を行った後に、像露光手段３のレーザビームによって原稿から読み取られた画像データに基づく露光走査を行って潜像を形成し、該潜像を現像手段４により反転現像して像担持体１の表面にトナー像を形成する。
【００１２】
用紙収納部７Ａから給紙された記録用紙（以下、用紙と称す）Ｓは転写位置へと送られる。転写位置において転写手段５Ａにより前記トナー像が用紙Ｓ上に転写される。その後に、用紙Ｓは除電手段５Ｂにより裏面の電荷が消去されて像担持体１から分離され、搬送部７Ｂにより搬送され、引き続き定着手段８により加熱定着され、排紙ローラ７Ｃから排出される。
【００１３】
用紙Ｓの両面に画像形成を行う場合には、定着手段８により加熱定着された用紙Ｓを、搬送路切り替え板７Ｄにより通常の排紙通路から分岐し、反転搬送部７Ｅにおいてスイッチバックして表裏反転した後、再び画像形成部を通過し、用紙Ｓの裏面に画像を形成し、定着手段８を経て、排紙ローラ７Ｃから装置外に排出される。排紙ローラ７Ｃから排出された用紙Ｓは、後処理装置Ｃの受入部１１に送り込まれる。
【００１４】
像担持体１の画像処理後の表面は、クリーニング手段６により表面に残留している現像剤が除去され、次の画像形成に備える。
【００１５】
画像形成装置Ａの上部には、原稿移動型読み取り方式の自動原稿送り装置を備えた画像読み取り装置Ｂが設置されている。
【００１６】
画像形成装置Ａの上部前面側には、画像形成モード、平綴じや中綴じ等の後処理モードを選択して設定する操作部９が配置されている。
【００１７】
［後処理装置］
画像形成装置Ａに接続する後処理装置Ｃは、入口搬送部１０、シフト処理部２０、綴じ処理部３０、綴じ手段（ステイプル手段）４０、表紙給紙部５０、中折り処理部６０、及び排紙部７０とから構成されている。
【００１８】
入口搬送部１０は画像形成装置Ａから排出された用紙Ｓを各処理部に搬送する。シフト処理部２０は入口搬送部１０から搬送された用紙Ｓをシフト処理区分けして後述の昇降排紙台７２に排出する。綴じ処理部３０は入口搬送部１０から搬送された用紙Ｓを積載して、後述の綴じ手段４０により、中綴じ処理又は平綴じ処理を行う。中折り処理部６０は用紙Ｓの用紙搬送方向中央部を折り曲げ中折り処理を行い、後述の下部排紙台７３に排出する。表紙給紙部５０は表紙用紙（以下、表紙と称す）Ｋを給紙してシフト処理部２０または綴じ処理部３０に搬送する。
【００１９】
排紙部７０は、画像形成装置Ａから排出された用紙Ｓを入口搬送部１０を経由して後処理を行わず直接排紙して収容する上部排紙台７１と、シフト処理または平綴じ処理された用紙束Ｓａを収容する昇降排紙台７２と、中折り処理された用紙束Ｓａを収容する下部排紙台７３を有する。
【００２０】
・後処理装置の用紙搬送経路
図３は後処理装置Ｃの用紙搬送経路を示す模式図である。
【００２１】
後処理装置Ｃは画像形成装置Ａから搬出された用紙Ｓの受入部１１が画像形成装置Ａの排紙ローラ７Ｃと合致するよう位置と高さを調節して設置されている。
【００２２】
受入部１１の入口部ローラ１２の用紙搬送方向下流に接続する用紙Ｓの搬送路は、上段の第１搬送路▲１▼と中段の第２搬送路▲２▼及び下段の第３搬送路▲３▼の３系統に分岐されていて、切換手段Ｇ１，Ｇ２の占める角度の選択により用紙Ｓが何れかの搬送路に給送されるようになっている。
【００２３】
・上部排紙台７１に排紙
画像形成装置Ａから排出された画像形成済みの用紙Ｓは、受入部１１に導入され、入口部ローラ１２により搬送されて、上方の第１の切換手段Ｇ１の右方の通路１３を通過して、上方の搬送ローラ対１４に挟持、搬送され、更に搬送ローラ１５により挟持、搬送された後、排紙ローラ１６に挟持されて機外上部の上部排紙台７１上に排出され、順次積載される（第１搬送路▲１▼）。
【００２４】
この用紙搬送過程では、切換手段Ｇ１はソレノイドＳＤ１の駆動により揺動され、通路１７を閉止し、通路１３を開放状態にして、用紙Ｓの上部排紙台７１への通過を可能にする。
【００２５】
この上部排紙台７１には最大約２００枚の用紙Ｓを収容することが可能であり、操作者は後処理装置Ｃの上部から容易に取り出すことができる。
【００２６】
・シフト処理又はノンソート
この搬送モードに設定されると、切換手段Ｇ１はソレノイドＳＤ１がオフの状態で、通路１３を閉止し、通路１７を開放状態に保持し、用紙Ｓの通路１７の通過を可能にする。
【００２７】
画像形成装置Ａから排出された画像形成済みの用紙Ｓは、受入部１１、入口部ローラ１２を通過し、切換手段Ｇ１の下方に開放状態に形成された通路１７を通過して、搬送ローラ１８に挟持されて、第２搬送路▲２▼である斜め下方の第２の切換手段Ｇ２の上方の通路２１を通過して、搬送ローラ２２に挟持され、通路２３を経て、搬送ローラ（シフトローラ）２４に挟持され、排紙ローラ２６により機外の昇降排紙台７２上に排出、載置される（第２搬送路▲２▼）。
【００２８】
この昇降排紙台７２には最大約３０００枚の用紙Ｓを収容することが可能である。
【００２９】
・平綴じ処理
画像形成装置Ａ内で画像形成処理されて、後処理装置Ｃの受入部１１に送り込まれた画像形成済みの用紙Ｓは、入口部ローラ１２、第１の切換手段Ｇ１の下方の通路１７を通過して、搬送ローラ１８に挟持されて、第３搬送路▲３▼に搬送される。
【００３０】
第３搬送路▲３▼において、用紙Ｓは切換手段Ｇ２の下方の通路３１を通過して、下流の搬送ローラ３２により挟持、搬送される。用紙Ｓは、更に下流の搬送ローラ３４により挟持されて送り出され、傾斜配置された第１用紙載置台（用紙載置台）３５の上方空間に排出され、第１用紙載置台３５または第１用紙載置台３５上に積載された用紙Ｓの上面に接し、滑走上昇したのち、搬送ローラ３４から用紙Ｓの進行方向後端部が排出されたのちには、用紙Ｓの自重により下降に転じ、第１用紙載置台３５の傾斜面上を滑落し、綴じ手段４０近傍の平綴じ用突き当て部材４１の用紙突き当て面に用紙Ｓの進行方向先端部が当接して停止する。
【００３１】
この停止位置において、第１用紙載置台３５上に所定枚数の用紙Ｓが積載され、幅整合板３６により幅整合され、綴じ手段４０によって用紙束Ｓａが綴じ合わされる。
【００３２】
綴じ手段４０は、第１用紙載置台３５上に積載される用紙Ｓの下面側に位置し綴じ針ＳＰを打ち込む打針機構部４０Ａと、用紙Ｓの上面側に位置し綴じ針ＳＰを折り曲げる受針機構部４０Ｂとの二分割構造に構成され、その中間に用紙Ｓが通過可能な通路４２を形成している。
【００３３】
綴じ手段４０により綴じ処理された用紙束Ｓａは、排出ベルト３８の排出爪３８ａにより用紙束Ｓａの後端部を保持されて、第１用紙載置台３５の載置面上を滑走して斜め上方に押し上げられ、回転する排紙ローラ２６に挟持されて、昇降排紙台７２上に排出、積載される。
【００３４】
図４（ａ）は、用紙Ｓの端面近傍で中央振り分け２箇所に綴じ針ＳＰが打針された平綴じ用紙Ｓの平面図、図４（ｂ）は、用紙Ｓのコーナ部近傍の１箇所に綴じ針ＳＰが打針された端綴じ用紙Ｓの平面図である。
【００３５】
・表紙給紙
表紙給紙部５０は、給紙皿５１、昇降底板５２から成る表紙載置部と、送り出しローラ５３、重送防止給紙ローラ５４から成る表紙送り手段とから構成されている。
【００３６】
表紙給紙部５０の給紙皿５１、昇降底板５２に載置された表紙Ｋは、送り出しローラ５３、重送防止給紙ローラ５４から成る表紙送り手段により１枚ずつ給紙される。表紙Ｋは、第４搬走路▲４▼の通路５５を通過して、搬送ローラ対１４の挟持位置を通過し、通路１９、搬送ローラ１８を通過した後、第３搬送路▲３▼の通路３１、搬送ローラ３２、通路３３、搬送ローラ３４を経て、第１用紙載置台３５上に到達する。
【００３７】
・中綴じ処理
中綴じモードに設定されると、綴じ手段４０の綴じ処理位置近傍の平綴じ用突き当て部材４１が第５搬送路▲５▼から待避し、ほぼ同時にそれより下流の中綴じ用突き当て部材４３が起動して通路４２を遮断する。
【００３８】
中綴じ用突き当て部材４３は、設定された用紙Ｓのサイズ（搬送方向の長さ）に対応する所定位置に移動して停止する。
【００３９】
最終の用紙Ｓが第１用紙載置台３５上に位置決め載置された後、用紙束Ｓａに綴じ手段４０による中綴じ処理を行う。この中綴じ処理により、用紙Ｓの搬送方向の中央部に綴じ針ＳＰが打ち込まれる。
【００４０】
図４（ｃ）は、用紙Ｓの長手方向中央振り分け２箇所に綴じ針ＳＰが打針された中綴じ用紙Ｓの平面図である。
【００４１】
・中折り処理
中綴じ処理後、中綴じ用突き当て部材４３が揺動して、通路４２の下流の通路を開放する。中綴じ処理された用紙束Ｓａは、湾曲した通路と中間搬送ローラ６１を通過して、斜め下方の搬送ベルト６２上を案内板６３に案内されて搬送され、更に、第２用紙載置台６４上を下降して、可動突き当て手段６５に用紙束Ｓａの搬送方向の先端部が当接して、所定位置に停止する（第６搬送路▲６▼）。
【００４２】
停止状態の用紙束Ｓａの搬送方向の中央部、即ち中綴じ位置の斜め下方には、用紙突き出し手段６６が設置されている。中綴じ位置の斜め上方には、中折りローラ６７と、加圧ローラ６８が設置されている。
【００４３】
中折り開始信号により、用紙突き出し手段６６が用紙束Ｓａを介して従動回転する中折りローラ６７の挟持部を押し広げて用紙束Ｓａの中央部に折り目を形成する。折り目を形成された用紙束Ｓａの中央部は、加圧ローラ６８の挟持位置で折り目が更に強く圧迫され折り目が強化された後、機外の下部排紙台７３上に排出される。
【００４４】
図４（ｄ）は、用紙Ｓと表紙Ｋとから成る用紙束Ｓａに中綴じと中折りの後処理を施して作成された冊子の斜視図である。
【００４５】
［表紙給紙部の給紙皿］
図５は、表紙給紙部５０の平面図である。
【００４６】
表紙Ｋを載置する給紙皿５１の表紙給紙方向の先端部には、突き当て部５１Ａが立設されている。
【００４７】
給紙皿５１の表紙給紙方向に直交する用紙幅方向の両端部には、固定案内部５１Ｂが立設されている。固定案内部５１Ｂは手前側と奥側の二箇所に平行配置されている。固定案内部５１Ｂの平行２平面間の幅方向の幅間隔Ｗ２は、最大サイズの表紙Ｋの幅Ｗ１より大きく形成されている（Ｗ２＞Ｗ１）。例えば、Ａ３判の表紙Ｋを載置可能にする表紙給紙部５０の場合、固定案内部５１Ｂの幅間隔Ｗ２は、Ａ３判の幅寸法２９７ｍｍより大きい寸法、例えば、約３５０ｍｍに形成されている。したがって、固定案内部５１Ｂの平行２平面間の幅間隔Ｗ２は、最大サイズの表紙Ｋを受け入れるのに充分な余裕を有する。
【００４８】
操作者は、給紙皿５１及び昇降底板５２上に表紙Ｋを載置し、表紙Ｋの先端部を突き当て部５１Ａに突き当てて先端部整合する。表紙Ｋの幅方向を規制する従来の幅整合板は設けられていないから、幅整合板を予め表紙Ｋの幅寸法より広く拡張させて、表紙Ｋを載置したのち、幅整合板により表紙Ｋの幅整合を行う操作が不要となる。操作者は、余裕をもって形成された固定案内部５１Ｂの平行２平面間に、表紙Ｋを載置するだけで済み、表紙Ｋを給紙皿５１上に容易に載置する事ができる。
【００４９】
したがって、車椅子の人や身体障害者や大量のコピー作業をするため椅子に腰掛けたまま作業する人などが使用する場合に、後処理装置Ｃの上部に配置された表紙給紙部５０に表紙Ｋを楽に載置する事ができる。
【００５０】
［綴じ処理部の用紙幅整合］
図６は綴じ処理部３０の平面図である。図７は、後処理装置Ｃの制御を示すブロック図である。
【００５１】
綴じ処理部３０は、中綴じ処理時に用紙Ｓと表紙Ｋを通過可能にする通路４２を介して上下に分離された打診機構部４０Ａと受針機構部４０Ｂとで構成した２組の綴じ手段４０と、用紙搬送方向に直交する方向の用紙幅方向を整合する上流側の幅整合板３６及び下流側の幅整合板４４と、用紙搬送方向の用紙先端部を規制する平綴じ用突き当て部材４１及び中綴じ用突き当て部材４３とから成る用紙先端部位置決め手段と、端綴じ処理及び中綴じ処理される用紙束Ｓａを載置する第１用紙載置台３５とにより構成したものである（図３参照）。
【００５２】
図６の綴じ処理部３０において、モータＭ１は２本の排出ベルト３８を回動させ、モータＭ２は上流側の２個の幅整合板３６を移動させ、モータＭ３は２個の綴じ手段４０を移動させ、モータＭ４は下流側の２個の幅整合板４４を移動させる。平綴じ用突き当て部材４１、中綴じ用突き当て部材４３は、図示しないモータにより揺動可能に駆動され、用紙Ｓの先端部位置決めと、用紙Ｓの通過とを可能にする。
【００５３】
上流側の幅整合板３６及び下流側の幅整合板４４の待機位置の間隔Ｗ３は、表紙給紙部５０の固定案内部５１Ｂの幅間隔Ｗ２より広く設定される。従って、最大サイズの表紙Ｋの幅Ｗ１に対して、表紙給紙部５０、綴じ処理部３０において、Ｗ１＜Ｗ２＜Ｗ３となるように設定される。
【００５４】
操作部９において、平綴じ処理が設定されると、表紙給紙部５０の給紙皿５１上に載置された表紙Ｋは、表紙送り手段、搬送手段により搬送され、第１用紙載置台３５上に載置され、平綴じ用突き当て部材４１に用紙Ｓの進行方向先端部が当接して停止する。第１用紙載置台３５上に表紙Ｋが進入するに先立って、幅整合板３６は表紙Ｋを受け入れるために、間隔Ｗ３の待機位置に待機する。
【００５５】
制御手段９０は、第１用紙載置台３５上に表紙Ｋが載置される都度、幅整合板３６をモータＭ２により駆動し、表紙Ｋの幅方向の中央側に移動させ、表紙Ｋの両側端部を押圧して幅整合を行う。第１用紙載置台３５上に所定枚数の用紙Ｓが積載されて幅整合された後、綴じ手段４０によって用紙束Ｓａが平綴じ処理される。
【００５６】
操作部９において、中綴じ処理が設定されると、表紙給紙部５０の給紙皿５１上に載置された表紙Ｋは、表紙送り手段、搬送手段により搬送され、第１用紙載置台３５上に載置され、中綴じ用突き当て部材４３に用紙Ｓの進行方向先端部が当接して停止する。第１用紙載置台３５上に表紙Ｋが進入するに先立って、幅整合板３６，４４は表紙Ｋを受け入れるために、間隔Ｗ３の待機位置に待機する。
【００５７】
制御手段９０は、第１用紙載置台３５上に表紙Ｋが載置される都度、上流側の幅整合板３６をモータＭ２により駆動し、下流側の幅整合板４４をモータＭ４により駆動させる。幅整合板３６，４４は、それぞれ表紙Ｋの幅方向の中央側に移動して、表紙Ｋの両側端部を押圧して幅整合を行う。第１用紙載置台３５上に所定枚数の用紙Ｓが積載されて幅整合された後、綴じ手段４０によって用紙束Ｓａが中綴じ処理される。
【００５８】
なお、後処理装置Ｃは、表紙給紙部５０にインサート用紙を載置して、画像形成装置Ａから排出された複数の用紙ＳやＯＨＰシートの間に挿入する事も可能である。このインサート用紙挿入モードにおいても、表紙給紙部５０、綴じ処理部３０において、Ｗ１＜Ｗ２＜Ｗ３となるように設定する事により、操作者は給紙皿５１上に用紙を容易に載置することができる。
【００５９】
また、後処理装置Ｃは、表紙給紙部５０に画像形成装置Ａから直接排出された用紙Ｓ以外の用紙等を載置して、オフラインで綴じ処理、折り処理を実行させることも可能である。このオフライン処理においても、表紙給紙部５０、綴じ処理部３０において、Ｗ１＜Ｗ２＜Ｗ３となるように設定する事により、操作者は給紙皿５１上に用紙を容易に載置することができる。
【００６０】
前記幅整合板３６，４４は、第１用紙載置台３５上にセンター基準で幅整合を行う後処理装置に限定されるものではなく、片側基準で幅整合を行う後処理装置にも適用可能である。
【００６１】
なお、本発明の実施の形態では、複写機に接続した後処理装置Ｃを示したが、プリンタ、ファクシミリ等の画像形成装置や軽印刷機等と接続して使用する後処理装置にも適用可能である。
【００６２】
【発明の効果】
以上説明したように、本発明の後処理装置により、以下の優れた効果が得られる。
【００６３】
車椅子の人や身体障害者や大量のコピー作業をするため椅子に腰掛けたまま作業する人などが後処理装置を使用する場合に、後処理装置の上部に設置された表紙給紙部の給紙皿上に表紙又は用紙を、整合操作や目視確認をしないで、簡単に載置するのみで、後処理を行う事ができる。
【図面の簡単な説明】
【図１】画像形成装置、画像読み取り装置、後処理装置から成る画像形成システムの全体構成図。
【図２】画像形成システムの外観斜視図。
【図３】後処理装置の用紙搬送経路を示す模式図。
【図４】平綴じ用紙の平面図、端綴じ用紙の平面図、中綴じ用紙の平面図、及び中綴じと中折りの後処理を施して作成された冊子の斜視図。
【図５】表紙給紙部の平面図。
【図６】綴じ処理部の平面図。
【図７】後処理装置の制御を示すブロック図。
【符号の説明】
９　操作部
３０　綴じ処理部
３５　第１用紙載置台（用紙載置台）
３６，４４　幅整合板
４０　綴じ手段（ステイプル手段）
４１　平綴じ用突き当て部材
４３　中綴じ用突き当て部材
５０　表紙給紙部
５１　給紙皿
５１Ａ　突き当て部
５１Ｂ　固定案内部
９０　制御手段
Ａ　画像形成装置
Ｃ　用紙後処理装置（後処理装置）
Ｋ　表紙用紙（表紙）
Ｓ　記録用紙（用紙）
Ｗ１　最大サイズの表紙の幅
Ｗ２　固定案内部の幅間隔
Ｗ３　幅整合板の待機位置の間隔
【図１】
2004010257.tif 000003
【図２】
2004010257.tif 000004
【図３】
2004010257.tif 000005
【図４】
2004010257.tif 000006
【図５】
2004010257.tif 000007
【図６】
2004010257.tif 000008
【図７】
2004010257.tif 000009